(57)【要約】      （修正有）【課題】使用者が自分のスイング習慣や、グラウンドなどによってパッティングオフセットを調整することによって最適なパッティング効果を達成できるだけでなく、構造が簡単で、調節操作が簡単であるオフセット調節可能なゴルフクラブヘッドを提供する。【解決手段】クラブヘッド本体１を含み、クラブヘッド本体の裏面には伸びるように２本の平行するシュート１１１とポジショニング凹溝１１２を有するスライドレール１１が設置され、スライドレールと嵌め合うスライドブロック２も含まれ、スライドブロックはスライドレールに沿ってスライディング、且つポジショニング固定を実現するとともに、スライドブロックにはクラブシャフトとの連結に用いる連結リンク２２を設けた。【選択図】図１
0003196704.tif 000002
【実用新案登録請求の範囲】
【請求項１】
クラブヘッド本体と、前記クラブヘッド本体の裏面には伸びるように設けられたスライドレールに嵌合されるスライドブロックを有し、
前記スライドブロックは、前記スライドレールに沿ってスライディング、且つ、ポジショニング固定され、
前記スライドブロックにはクラブシャフトとの連結に用いる連結リンクが設けられていることを特徴とするオフセット調節可能なゴルフクラブヘッド。
【請求項２】
前記スライドレールには、２本の平行するシュートが設けられており、前記スライドブロックは前記シュートに沿ってスライドし位置調整を行うことを特徴とする請求項１に記載のオフセット調節可能なゴルフクラブヘッド。
【請求項３】
前記シュートには、間隔を以って幾つかのポジショニング凹溝が設けられており、前記スライドブロックの底部には前記ポジショニング凹溝と嵌め合うポジショニングリッジが設けられていることを特徴とする請求項２に記載のオフセット調節可能なゴルフクラブヘッド。
【請求項４】
前記スライドレールと前記クラブヘッド本体は、一体に成型されることを特徴とする請求項１に記載のオフセット調節可能なゴルフクラブヘッド。
【請求項５】
前記スライドブロックは、ポジショニングねじを通じてスライドレールとのポジショニング固定を実現することを特徴とする請求項１に記載のオフセット調節可能なゴルフクラブヘッド。
【請求項６】
前記スライドブロックには、取り外し可能なウェイト調節用のウェイトねじが設けられていることを特徴とする請求項１に記載のオフセット調節可能なゴルフクラブヘッド。
【考案の詳細な説明】
【技術分野】
【０００１】
本考案はゴルフ用具に関するもので、特にオフセット調節可能なゴルフクラブヘッドに関するものである。
【背景技術】
【０００２】
ゴルフは、大自然の楽しみ、身体鍛錬およびゲームを一括としたスポーツであり、経済の発展につれ、このスポーツも益々多くの人々によって好まれるようになってきている。
【考案の概要】
【考案が解決しようとする課題】
【０００３】
このゴルフの発展につれ、多くのゴルファーがパッティングオフセットを自由に調節できる個性化可能なゴルフ用具の登場が望まれており、実際にそのニーズは多くなっているが、その慣性の高低を調節するための構造が複雑であったり、調節操作が難しかったりすると言う問題があった。
【０００４】
一方、ウェイト・デザインが優れたゴルフクラブヘッドを選択することによって、パッティングの瞬間が順調で、良好なパッティング感を保証することができ、安定したパッティングとボールコントロールが可能なゴルフ用具が望ましいが、使用者が自分のスイング習慣や、グラウンドなどによってパッティングオフセットを調節できないため、最適なパッティング効果を達成できないという問題があった。
【０００５】
従って、本考案の目的は、使用者が自分のスイング習慣や、グラウンドなどによってパッティングオフセットを調整することによって最適なパッティング効果を達成できるだけでなく、構造が簡単で、調節操作が簡単であるオフセット調節可能なゴルフクラブヘッドを提供することにある。
【課題を解決するための手段】
【０００６】
本考案は、上記の課題を解決するために、クラブヘッド本体と、前記クラブヘッド本体の裏面には伸びるように設けられたスライドレールに嵌合されるスライドブロックを有し、前記スライドブロックは、前記スライドレールに沿ってスライディング、且つ、ポジショニング固定され、前記スライドブロックにはクラブシャフトとの連結に用いる連結リンクが設けられていることを特徴とするオフセット調節可能なゴルフクラブヘッドを提供するものである。
【０００７】
以上の構成において、前記スライドレールには、２本の平行するシュートが設けられており、前記スライドブロックは前記シュートに沿ってスライドし位置調整を行うことを特徴とする。
【０００８】
また、前記シュートには、間隔を以って幾つかのポジショニング凹溝が設けられており、前記スライドブロックの底部には前記ポジショニング凹溝と嵌め合うポジショニングリッジが設けられていることを特徴とする。
【０００９】
また、前記スライドレールと前記クラブヘッド本体は、一体に成型されることを特徴とする。
【００１０】
また、前記スライドブロックは、ポジショニングねじを通じてスライドレールとのポジショニング固定を実現することを特徴とする。
【００１１】
また、前記スライドブロックには、取り外し可能なウェイト調節用のウェイトねじが設けられていることを特徴とする。
【考案の効果】
【００１２】
本考案のオフセット調節可能なゴルフクラブヘッドによれば、クラブヘッド本体と、前記クラブヘッド本体の裏面には伸びるように設けられたスライドレールに嵌合されるスライドブロックを有し、前記スライドブロックは、前記スライドレールに沿ってスライディング、且つ、ポジショニング固定され、前記スライドブロックにはクラブシャフトとの連結に用いる連結リンクを設けるようにしたので、使用中、使用者は個人のスイング習慣や、姿勢、グラウンドなどによって、スライドブロックのスライドレールに対する相対位置を調整することによって、最適なパッティング効果を達成するために、パッティングオフセットを調整することができる。前記スライドブロックは前記スライドレールに沿ってスライディング、且つポジショニング固定が実現でき、構造が簡単で、調節操作が簡単・便利である。
【図面の簡単な説明】
【００１３】
【図１】本考案のオフセット調節可能なゴルフクラブヘッドの構造見取り図である。
【図２】本考案のオフセット調節可能なゴルフクラブヘッドの分解構造見取り図である。
【図３】本考案のクラブヘッド本体の構造見取り図である。
【図４】本考案のスライドブロックの構造見取り図である。
【考案を実施するための形態】
【００１４】
次に、本分野の技術者が理解できるように、添付図面に合わせて、本考案の実施の形態について更に詳しく説明することにするが、以下に述べる実施の形態に関わる内容は本考案を限定するものではない。
【００１５】
図１は、本考案のオフセット調節可能なゴルフクラブヘッドの構造見取り図であり、図２は、本考案のオフセット調節可能なゴルフクラブヘッドの分解構造見取り図であり、図３は、本考案のクラブヘッド本体の構造見取り図であり、図４は、本考案のスライドブロックの構造見取り図である。
【００１６】
これらの図に示すように、本考案のオフセット調節可能なゴルフクラブヘッドは、概略、クラブヘッド本体１と、スライドブロック２とから構成される。
【００１７】
クラブヘッド本体１のパッティング面の反対側には、後方に伸びるようにスライドレール１１が設けられている。このスライドレール１１には、２本の平行するシュート１１１が設けられている。そして、このシュート１１１には、図３に示すように、スライドブロック２の位置調整を行うポジショニング凹溝１１２が複数設けられている。
【００１８】
スライドブロック２には、図２および図４に示すように、取り外し可能なウェイト調節用のウェイトねじ３が設けられている。このウェイトねじ３は、スライドブロック２の両端部に必要に応じて取り付けられる。
【００１９】
一方、スライドブロック２は、スライドレール１１に嵌め合わされてスライドしつつ用いられるが、図４に示すように、スライドブロック２の底部にはポジショニングリッジ２１が設けられており、このポジショニングリッジ２１の凸部が図３に示すポジショニング凹溝１１２に嵌め合わされる構成になっていることから、このポジショニングリッジ２１をポジショニング凹溝１１２に嵌め合わせることにより、位置調整を行う。位置調整の後は、スライドブロック２は、ポジショニングネジ４によってクラブヘッド本体１に固定される。
【００２０】
上記の構成で、スライドブロック２がクラブヘッド本体１のパッティング面に近い位置にあるときは、重心位置がパッティング面に近い位置にあるため、パッティングによって打球は比較的長い距離を転がる。パッティング面から離れた位置にスライドブロック２があるときは、重心位置がパッティング面より後方にあるため、打球は前記に比して比較的短い距離を転がる。
【００２１】
なお、従来のゴルフクラブヘッドと比較して、重心位置を調整可能であることから、必然的に慣性モーメントが大きくなる。スライドブロック２とクラブヘッド本体１のパッティング面の距離が離れれば離れるほど、慣性モーメントが大きくなってクラブヘッドはその軸を中心に回転しづらくなり、パッティングの打球方向に向けての正確性を図ることができる。
【００２２】
また、スライドブロック２には、クラブシャフトとの連結に用いる連結リンク２２が設けられている。ここに連結リンクを設けているので、位置調整とともに、使用者（プレーヤー）のプレースタイルに応じてクラブヘッドに対するオフセット（偏移量）も調整することができる。
【００２３】
このように、本考案のオフセット調節可能なゴルフクラブヘッドは、クラブヘッド本体１を含み、前記クラブヘッド本体１の裏面には伸びるようにスライドレール１１が設置され、前記スライドレール１１と嵌め合うスライドブロック２も含まれ、前記スライドブロック２はスライドレール１１に沿ってスライディング、且つポジショニング固定を実現できる。
【００２４】
スライドブロック２にはクラブシャフトとの連結に用いる連結リンク２２が設置され、使用中、使用者は個人のスイング習慣や、姿勢、グラウンドなどによって、スライドブロック２のスライドレール１１に対する相対位置を調整することによって、最適なパッティング効果を達成するために、クラブヘッドに対するオフセット（偏移量）を調整することができる。前記スライドブロック２は前記スライドレール１１に沿ってスライディング、且つポジショニング固定が実現でき、構造が簡単で、調節操作が簡単・便利である。
【００２５】
さらに、スライドレール１１には２本の平行するシュート１１１が設置され、前記スライドブロック２はシュート１１１を沿ってスライディング、且つポジショニング固定を実現でき、スライドブロック２は２本の平行するシュート１１１に沿ってスライディングすることによって、調整の安定性および正確性を大幅向上することができ、異なる必要に応じてオフセット（偏移量）に対する穏やかな調整が実現できる。
【００２６】
シュート１１１の中には間隔を以って幾つかのポジショニング凹溝１１２が設置され、スライドブロック２の底部にはポジショニング凹溝１１２と嵌め合うポジショニングリッジ２１が設置され、使用者の習慣又はグラウンドなどの異なる必要に応じて、スライドブロック２のクラブヘッド本体１に対する距離を調整し、必要な部位まで調整されると、ポジショニング凹溝１１２とポジショニングリッジ２１が嵌め合いロッキングされ、さらに、ポジショニングねじ４でクラブヘッド１とスライドブロック２を固定連結し、パッティング中、揺れや位置ずれなどの現象が発生しないように保証し、オフセットの調整後クラブヘッドの構造の堅固性が保証できる。
【００２７】
スライドレール１１はクラブヘッド１と一体に成型され、構造が堅固で、生産加工が便利で、生産コストの低減に有利である。
【００２８】
さらに、スライドブロック２上には取り外しができるようにウェイトの調節に用いるウェイトねじ３が設置され、ウェイトねじ３を通じてスライドブロック２のバランスをさらに調整することができ、本考案のゴルフクラブヘッドのパッティング効果をさらに向上することができる。
【００２９】
最後に説明して置きたいことは、上記実施例は本考案の保護範囲を限定するものではなく、最良な実施例を参照して本考案について詳しい説明をしたものの、本分野の一般技術者なら、本考案の技術手段の実質と範囲を離れずに、本考案の技術手段に対する修正又は等価取替が可能であることを理解できるはずである。
【符号の説明】
【００３０】
１      クラブヘッド本体、
１１    スライドレール、
１１１  シュート、
１１２  ポジショニング凹溝、
２      スライドブロック、
２１    ポジションングリッジ、
２２    連結リンク、
３      ウェイトねじ、
４      ポジショニングねじ。
【図１】
0003196704.tif 000003
【図２】
0003196704.tif 000004
【図３】
0003196704.tif 000005
【図４】
0003196704.tif 000006